(57)【要約】【課題】板状記憶媒体用ホルダにおいて、複数種の板状記憶媒体を全く同じ操作性により挿脱可能に保持することができるとともに、安価に製造することができるようにする。【解決手段】複数種の板状記憶媒体を挿入して挿入方向に案内可能なケーシング本体に、上下方向には共通の高さを有する支持面２Ａ、２Ｂ、２Ｄ等を設け、それをカバー４で覆い、基板８に固定できるようにする。支持面２Ａ上には、挿脱方向にコイルばね９で弾性力が付勢されて移動するスライダ６を設け、そこに複数の板状記憶媒体が係止されるようにする。そして、その移動を規制する溝カム５と、板状記憶媒体をスライダ６またはケーシング本体に係止するための弾性係止部を備える保持機構３を設ける。【選択図】      図１
2004158339.tif 000002
【特許請求の範囲】
【請求項１】
表裏面のうちの一方の側に端子を有する板状記憶媒体を挿脱可能に収納するケーシングと、該ケーシングの側部に設けられて前記ケーシングに収納された板状記憶媒体を保持する保持機構とを備え、
前記ケーシングが、前記板状記憶媒体としてその大きさまたは形状が異なる複数種のものを共に収納可能な大きさ、形状に形成されてなる板状記憶媒体用ホルダであって、
前記複数種の板状記憶媒体の端子を有する側の面をそれぞれ基準面とした場合に、これら複数種の板状記憶媒体のいずれの基準面をも支持可能な支持面を有し、該支持面よりも突出して配置された、前記複数種の板状記憶媒体の端子に導通する端子を有してなることを特徴とする板状記憶媒体用ホルダ。
【請求項２】
請求項１に記載の板状記憶媒体用ホルダにおいて、
板厚の異なる複数種の板状記憶媒体が挿入可能であり、
かつ前記支持面の対向方向に設けられて該支持面との間で前記複数種の板状記憶媒体をそれぞれ挟持可能とした複数の位置規制部を設けたことを特徴とする板状記憶媒体用ホルダ。
【請求項３】
請求項１または２に記載の板状記憶媒体用ホルダにおいて、
前記保持機構には、
前記ケーシングに収納される複数種の板状記憶媒体を所定の引抜力以下では引抜き不可能にそれぞれ保持する弾性保持部と、
前記ケーシングに収納されている前記板状記憶媒体がさらにケーシング奥側へ押し込まれた際に、該板状記憶媒体を前記ケーシングから挿入時と逆向きに押し出すためのスライダとが設けられていることを特徴とする板状記憶媒体用ホルダ。
【発明の詳細な説明】
【０００１】
【発明の属する技術分野】
本発明は、板状記憶媒体用ホルダに関する。
【０００２】
【従来の技術】
近年、デジタルカメラや、携帯電話などの各種端末機器としては、メモリーカードなどの板状記憶媒体が差し込まれて、データの読み取りおよび／または書き込みを行うものが急速に普及してきている。板状記憶媒体には、例えば、メモリースティック、ＳＤカードなどが知られている。このような端末機器おいて、板状記憶媒体が差し込まれるホルダとしては、差し込まれた板状記憶媒体を収納状態に保持するとともに、収納状態の板状記憶媒体を押し込み操作することで板状記憶媒体の保持を解除して、前記板状記憶媒体を外側へ押し出す、いわゆるプッシュ・プッシュ式の保持機構が広く採用され、板状記憶媒体の挿脱（差し込み・取り出し）の利便性が図られている。
【０００３】
前述のプッシュ・プッシュ式の保持機構としては、いわゆるハートカム（ハート型の溝カム）を利用したものが知られている。このハートカムを利用した保持機構は、板状記憶媒体が差し込まれるホルダ（ケーシング）の側部に設けられたスライダが、ホルダへ挿入される板状記憶媒体により押圧されてホルダ奥側に移動させられ、このスライダに設けられた係合部が前記ハートカムに沿って移動することによって構成されている。（例えば、特許文献１参照。）
【０００４】
【特許文献１】
特開２００１−２６７０１３公報（第１−２頁、図１−４）
【０００５】
【発明が解決しようとする課題】
しかしながら、上記の従来技術に係る板状記憶媒体用ホルダは、例えば、特許文献１に記載のカード用コネクタのように、いずれも板状記憶媒体の種類に対応した専用ホルダが用いられていた。そのため、異なる種類の板状記憶媒体を互換性をもって挿入することはできなかった。
【０００６】
板状記憶媒体には、例えば、図１６、１７に示した板状記憶媒体４０、５０のような構造のものが知られている。図１６（ａ）、（ｂ）、（ｃ）は、それぞれ、板状記憶媒体４０の形状を説明するための裏面図、左側面図、平面図である。図１７（ａ）、（ｂ）、（ｃ）、（ｄ）は、それぞれ、板状記憶媒体５０の形状を説明するための平面図、右側面図、裏面図、下側面図である。
【０００７】
板状記憶媒体４０は、長さ×幅×厚さが、Ｌ１×Ｗ１×Ｈ１であるやや細長いほぼ直方体状の外形を有し、その内部に、不揮発メモリなどの記憶素子を含む回路基板からなる記憶媒体本体（いずれも不図示）を収めているものである。
そして、記憶媒体本体に導通する接続端子４０ａ…が、底面４０ｅ（基準面）の先端面４０ｃ側にて内側に引っ込んだ状態に設けられ、端末機器などへ先端側から挿入して接続する構成がとられている。板状記憶媒体４０の先端角部の一方には、平面方向に曲線部４０ｂが形成され、その厚み方向の底面４０ｅ側に逃げ溝４０ｇが設けられている。その逃げ溝４０ｇに隣接して、側部４０ｆ側から平面視Ｕ字状の係止凹部４０ｄが設けられている。係止凹部４０ｄは、側部４０ｆ側から板状記憶媒体４０を係止するため突起物を嵌合させるための溝である。上面４０ｈは、底面４０ｅにほぼ平行な平坦面をなしている。なお、板状記憶媒体４０の外周は、接続端子４０ａを除いて、絶縁体、もしくは接続端子４０ａおよび記憶媒体本体とは電気的に絶縁されている導電体から構成されている。
【０００８】
板状記憶媒体５０は、長さ×幅×厚さが、Ｌ２×Ｗ２×Ｈ２であるやや正方形に近い上下面を有するほぼ直方体状の外形を有し、その内部に、不揮発メモリなどの記憶素子を含む回路基板からなる記憶媒体本体（いずれも不図示）を収めているものである。そして、記憶媒体本体に導通する接続端子５０ａ…が、底面５０ｅ（基準面）の先端面５０ｃ側にて内側に引っ込んだ状態に設けられ、端末機器などへ先端側から挿入して接続する構成がとられている。板状記憶媒体５０の先端角部の一方には、平面方向に面取り部５０ｂが形成されている。面取り部５０ｂに隣接する側の側部には、平面視コ字状の係止凹部５０ｄが設けられている。係止凹部５０ｄは、板状記憶媒体５０を係止するため突起物を嵌合させるための溝である。また板状記憶媒体５０の両側部には、底面５０ｅから高さＴ２で水平方向幅Ｄ２の段差がそれぞれ設けられることにより、上面５０ｉ側に側部突起５０ｆ、５０ｆが形成されている。
【０００９】
側部突起５０ｆのうち、面取り部５０ｂ、係止凹部５０ｄが設けられていない側の中間部には、側面側から所定幅の切欠きが設けられ、その切欠き深さをほぼ埋める厚みを有する書込保護爪５０ｇが切欠きの幅内の挿脱方向奥側（図示上側）と挿脱方向手前側との間で往復移動可能に設けられ、それぞれの側で係止可能とされている。
書込保護爪５０ｇは、板状記憶媒体５０内部のスイッチ機構（不図示）と接続されていて、挿脱方向奥側に位置する場合（図１７参照）には、板状記憶媒体５０へのデータの書込みが許可される書込みモードが設定される。このとき、挿脱方向手前側の切欠き部には、書込保護溝５０ｈが形成されている。
また、書込保護爪５０ｇを逆側に移動させると、板状記憶媒体５０へのデータの書込みが禁止される書込み保護モードが設定される。このとき、書込保護溝５０ｈは、挿脱方向奥側に移動している。
なお、板状記憶媒体５０の外周は、接続端子５０ａを除いて、絶縁体、もしくは接続端子５０ａおよび記憶媒体本体とは電気的に絶縁されている導電体から構成されている。
【００１０】
板状記憶媒体４０、５０は、いずれも底面４０ｅ、５０ｅの側に、接続端子４０ａ…、５０ａ…を備えているが、曲線部４０ｂおよび係止凹部４０ｄと、面取り部５０ｂおよび係止凹部５０ｄとは、挿入方向に対して左右の逆方向に位置している。
また、それぞれの外形寸法は、Ｌ１＞Ｌ２、Ｗ１＜Ｗ２、Ｈ１＞Ｈ２という関係がある。さらに、接続端子４０ａ…と接続端子５０ａ…とでは、端子間の配設ピッチや信号の割り当てが異なっており、機械的・電気的な互換性を有していない。
【００１１】
そのため、例えば、板状記憶媒体４０、５０のいずれをも利用することができる端末機器を製作しようとすれば、それぞれに応じて複数の板状記憶媒体用ホルダを設けなければならず、端末機器を小型化することができないという問題があった。
また、このように板状記憶媒体用ホルダが専用部品化しているので、量産数量が限定され、板状記憶媒体用ホルダを低コスト化することが難しいという問題があった。
したがって、複数の異なる種類の板状記憶媒体を同様な操作性により挿脱可能に保持することができ、しかも安価に製造することができる板状記憶媒体用ホルダが強く求められていた。
【００１２】
本発明は、このような問題に鑑みてなされたものであって、複数種の板状記憶媒体を全く同じ操作性により挿脱可能に保持することができるとともに、安価に製造することができる板状記憶媒体用ホルダを提供することを目的とする。
【００１３】
【課題を解決するための手段】
上記の課題を解決するために、請求項１に記載の発明では、表裏面のうちの一方の側に端子を有する板状記憶媒体を挿脱可能に収納するケーシングと、該ケーシングの側部に設けられて前記ケーシングに収納された板状記憶媒体を保持する保持機構とを備え、前記ケーシングが、前記板状記憶媒体としてその大きさまたは形状が異なる複数種のものを共に収納可能な大きさ、形状に形成されてなる板状記憶媒体用ホルダであって、前記複数種の板状記憶媒体の端子を有する側の面をそれぞれ基準面とした場合に、これら複数種の板状記憶媒体のいずれの基準面をも支持可能な支持面を有し、該支持面より突出して配置された、前記複数種の板状記憶媒体の端子に導通する端子を有してなる。
この発明によれば、異なる複数種の板状記憶媒体であっても、支持面を共通にしたケーシングにより挿脱して、保持機構に保持でき、導通する端子の取付面を共通の支持面側に配置することができる。
【００１４】
請求項２に記載の発明では、請求項１に記載の板状記憶媒体用ホルダにおいて、板厚の異なる複数種の板状記憶媒体が挿入可能であり、かつ前記支持面の対向方向に設けられ、該支持面との間で、前記複数の板状記憶媒体をそれぞれ挟持可能な複数種の位置規制部を設けた構成とする。
この発明によれば、板厚の異なる板状記憶媒体であっても、支持面と、それぞれの板厚に対応する位置規制部との間で、それぞれ挟持することができるので、いずれの板状記憶媒体でも板厚方向のがたつきを防止することができ、また支持面よりも突出して設けられた端子の突出量を抑えることができる。
ここで、板状記憶媒体の板厚とは、板厚方向の位置決めに係る厚みのことを言う。したがって、基準面およびその裏面に凹凸があり、部分的に板厚が変化していてもよい。
【００１５】
請求項３に記載の発明では、請求項１または２に記載の板状記憶媒体用ホルダにおいて、前記保持機構には、前記ケーシングに収納される複数種の板状記憶媒体を所定の引抜力以下では引抜き不可能にそれぞれ保持する弾性保持部と、前記ケーシングに収納されている前記板状記憶媒体がさらにケーシング奥側へ押し込まれた際に、該板状記憶媒体を前記ケーシングから挿入時と逆向きに押し出すためのスライダとが設けられている構成とする。
この発明によれば、複数種いずれの板状記憶媒体を板状記憶媒体用ホルダに挿入する場合でも、弾性保持部によりケーシングに保持され、スライダによりその状態からさらに押し込むことにより逆向きに押し出されるので、容易な操作性を共通化することができるとともに、スライダを共通化しているため、部品点数を低減することができる。
【００１６】
【発明の実施の形態】
以下では、本発明の実施の形態を、添付図面を参照して説明する。なお、すべての図面において、同一または相当する部材には同一の符号を付すことにより、上記の説明と共通する部分の説明を省略する。
【００１７】
本発明の実施形態に係る板状記憶媒体用ホルダ１について説明する。
図１（ａ）は、本発明の実施形態に係る板状記憶媒体用ホルダ１の概略構成を説明するための平面説明図である。
図１（ｂ）は、図１（ａ）におけるＡ−Ａ断面図である。図２は、同じく図１（ａ）におけるＢ視の側面説明図である。図３（ａ）、（ｂ）は、それぞれ図１（ａ）におけるＣ−ＣおよびＤ−Ｄ断面図である。
【００１８】
本実施形態の板状記憶媒体用ホルダ１は、例えば、デジタルカメラや携帯電話などの端末機器に内蔵される基板８上に固定され、複数種の板状記憶媒体４０、５０のいずれであっても挿脱可能に保持し、挿入時には、不図示の記憶媒体本体と基板８上に設けられた回路とが電気的に接続されるものである。
【００１９】
板状記憶媒体用ホルダ１の概略構成は、ケーシング２、カバー４および保持機構３からなる。保持機構３は、スライダ６、係合バー７、コイルばね９、溝カム５、第２係止ばね１１ａ（弾性保持部）および第３係止ばね１１ｂ（弾性保持部）などから構成されている。
【００２０】
板状記憶媒体用ホルダ１への板状記憶媒体４０、５０の挿入は、図１（ａ）の下側から上側に向けて行う。そこで、各部材配置や方向の説明を簡単化するため、以下、特に断らないかぎり、すべての図面において、平面方向では、図１（ａ）の下側に相当する方向を手前側、同じく上側に相当する方向を奥側と称し、側面方向では、図２の上下方向に合わせて上側、下側（基板８側）と称することにする。
【００２１】
ケーシング２は、板状記憶媒体４０、５０の基準面である底面４０ｅ、５０ｅを受けて、それぞれを挿脱方向に出し入れ可能に収容するもので、それらを収容することが可能な収容空間２ｂを形成する合成樹脂製のケーシング本体２０（図４参照）に、第１端子２ｃ…、第２端子２ｄ…、第２係止ばね１１ａ、第３係止ばね１１ｂをインサートし、保持機構３の一部をなす溝カム５を形成して構成された部材である。
図４（ａ）、（ｂ）、（ｃ）は、それぞれケーシング本体２０の構成を説明するための左側面図、平面図、右側面図である。図５（ａ）は、溝カム５を説明するための部分拡大図、図５（ｂ）は、図５（ａ）におけるＧ−Ｇ断面図である。図６（ａ）は、図４（ｂ）のＥ部詳細を示す部分拡大図、図６（ｂ）は、図６（ａ）におけるＦ視側面図である。
【００２２】
ケーシング２の外形は、奥側に側壁部２ｑ、その左右に側壁部２ｎ、２ｐが設けられて、長さ×幅×厚さが、Ｌ１×Ｗ２×Ｈ１である直方体より、いずれもわずかに大きい寸法を有する直方体に内接するものとなっている。そして、手前側に、板状記憶媒体４０、５０を挿脱する差入口２ａが設けられている。
差入口２ａの側面視の形状は、図２に示したように、左右方向には、上側に幅ｗ１の開口を形成する第１内側規制面２ｉ、２ｉが設けられ、その下側の基板８から高さｈ２の位置でそれぞれ外側に開口幅を広げる段差が設けられている。水平方向の段差境界は、挿入される板状記憶媒体５０の上面をガイドするための上面規制面２ｋ、２ｋ（位置規制部）を形成している。また、左右の段差面は、幅ｗ１を隔てて対向する第２内側規制面２ｊ、２ｊとなっている。上面規制面２ｋ、２ｋの下側の対向方向には、基板８から高さｈ１にある支持面２Ｃ、２Ｄが設けられている。
【００２３】
また、板状記憶媒体５０の表裏方向の誤挿入を防止するために、支持面２Ｃ、２Ｄ上には、第２内側規制面２ｊからの突出幅がｄ２、高さがｔ２で、手前側から奥側に延びる段差からなる誤挿入防止部２ｅがそれぞれ設けられている。
ここで、ｗ１は、板状記憶媒体４０の幅寸法Ｗ１よりわずかに大きく、ｗ２は、板状記憶媒体５０の幅寸法Ｗ２よりわずかに大きい寸法であり、（ｈ２−ｈ１）は、板状記憶媒体５０の高さ寸法Ｈ２よりわずかに大きい寸法とされている。また、ｔ２は板状記憶媒体５０の段差高さＴ２よりわずかに小さく、ｄ２は、同じく段差幅寸法Ｄ２よりわずかに小さい寸法とされている。
【００２４】
このため、差入口２ａにおいて、第１内側規制面２ｉ、２ｉは、板状記憶媒体４０を挿入するための左右方向のガイドを構成している。また、後述するカバー４が位置規制部となって、支持面２Ｃ、２Ｄとの間に、板厚方向のガイドが構成されている。同様に、第２内側規制面２ｊ、２ｊは、板状記憶媒体５０を挿入するための左右方向のガイドを構成している。また、上面規制面２ｋ、２ｋと支持面２Ｃ、２Ｄとは板厚方向のガイドを構成している。
すなわち、差入口２ａは、支持面２Ｃ、２Ｄを共通の受け面として、板状記憶媒体４０、５０をそれぞれ板厚方向および左右方向に嵌合させ、その挿脱をガイドできる開口を構成している。
【００２５】
ケーシング本体２０の奥側の側壁部２ｎと側壁部２ｑとが交差する角部と、側壁部２ｐと側壁部２ｑとが交差する角部には、それぞれ下側に、支持面２Ａ、２Ｂが設けられている。支持面２Ａ、２Ｂは、支持面２Ｃ、２Ｄと同一高さに整列している。そのため、板状記憶媒体４０の挿入後に、板状記憶媒体４０の底面４０ｅが支持面２Ａ、２Ｂ、２Ｃ、２Ｄのそれぞれに当接するようにして挿入することができるようになっている。
第１内側規制面２ｉ、２ｉ、第２内側規制面２ｊ、２ｊおよび上面規制面２ｋ、２ｋは、平面視では、差入口２ａから側壁部２ｎ、２ｐの中間部まで延ばされ、それぞれ対向面側の支持面との間に板状記憶媒体を挟持することができる。
【００２６】
支持面２Ａ、２Ｂの間には、側壁部２ｑと平行に第１端子２ｃ…をインサートするための端子保持部２Ｅが設けられている。また、側壁部２ｎと側壁部２ｐとの長手方向の中間部には、第２端子２ｄ…をインサートするための端子保持部２Ｆが設けられている。
【００２７】
第２端子２ｄは、図３（ａ）に示したように、その後端近傍を端子保持部２Ｆにインサートされ、先端側が基板８から斜め上方に延出され、後端側が基板８に近接するように延出されて片持支持されることにより、上下方向にばね弾性を有する金属製端子である。
第２端子２ｄは、水平方向に複数並べられて、それぞれの先端部が、板状記憶媒体５０が挿入されたとき、支持面２Ａ、２Ｂ、２Ｃ、２Ｄを含む平面から突出し、接続端子５０ａ…のすべてに対して下方から所定の弾性力を付勢しつつ当接する位置に配置されている。また、第２端子２ｄのそれぞれの後端部は、板状記憶媒体用ホルダ１を基板８に固定する際に、例えば、半田付けなどにより基板８上の不図示の回路パタンと電気的に接続することができる。
なお、符号８ａは、板状記憶媒体５０の挿入時に撓んだ第２端子２ｄが基板８に当たらないように設けた端子逃げ孔である。第２端子２ｄが挿入時に基板８に当接しない場合は設ける必要がない。
【００２８】
第１端子２ｃは、図３（ｂ）に示したように、金属製端子が大略Ｕ字状に湾曲されて、その一方の開口端部近傍が端子保持部２Ｅにインサートされたものである。端子保持部２Ｅから奥側に延ばされた第１端子２ｃは、側壁部２ｑで上方にＵ字状に湾曲し、端子保持部２Ｅの上方で端部を側面視山形状に屈曲されることにより、上下方向のばね弾性を有する構成となっている。また、端子保持部２Ｅから手前側に延ばされた第１端子２ｃの端部は、基板８に平行に近接するように下側に屈曲加工されている。
そして、第１端子２ｃは、水平方向に複数並べられて、それぞれの先端部が、板状記憶媒体４０が挿入されたとき、支持面２Ａ、２Ｂ、２Ｃ、２Ｄを含む平面から突出し、接続端子４０ａ…のすべてに対して下方から所定の弾性力を付勢しつつ当接する位置に配置されている。また、端子保持部２Ｅから手前側に延出された第１端子２ｃのそれぞれの端部は、板状記憶媒体用ホルダ１を基板８に固定する際に、例えば半田付けなどにより基板８上の不図示の回路パタンと電気的に接続することができる。
【００２９】
支持面２Ａには、図４（ｂ）に示したように、端子保持部２Ｅの横方向近傍で第１内側規制面２ｉよりも内側の位置に、板状記憶媒体４０の左右方向の誤挿入を防止するための誤挿入防止突起２ｇが設けられている。さらに、側壁部２ｎの長手方向の中間位置に挿脱方向にスライダ６を案内するためのスライド溝２ｈが設けられている。
【００３０】
支持面２Ａの手前側には、側壁部２ｎの上面側に段差が設けられ、その段差から手前側に延在する段状の溝カム形成部２Ｇが設けられている。溝カム形成部２Ｇには、下側にハート型の溝が形成された溝カム５が形成されている。また、この段差部分において、手前側から延出された第１内側規制面２ｉ、第２内側規制面２ｊおよび誤挿入防止部２ｅが破断されている。
【００３１】
溝カム５は、図５に示したように第１溝５ａ、第２溝５ｂ、第３溝５ｃ、第４溝５ｄをハート型にしたハートカムとなるものである。すなわち、挿脱方向に一致して側壁部２ｎの外側に沿って延在した状態に第１溝５ａを形成し、この第１溝５ａにおける溝カム形成部２Ｇの奥側の端部Ｐ１から溝カム形成部２Ｇ手前側に向かい、かつ該第１溝５ａから離間する方向に向かって斜めに延在する第２溝５ｂと、この第２溝５ｂにおける溝カム形成部２Ｇ手前側の端部Ｐ２から溝カム形成部２Ｇの奥側に向かい、かつ該第２溝５ｂから離間する方向に向かって斜めに延在する第３溝５ｃと、この第３溝５ｃにおける溝カム形成部２Ｇ奥側の端部Ｐ３から溝カム形成部２Ｇ手前側に延在し、前記第１溝５ａの経路中に連通する第４溝５ｄとを有してなるものである。前記の端部Ｐ１は第１溝５ａと第２溝５ｂとの連結部となっており、端部Ｐ２は第２溝５ｂと第３溝５ｃとの連結部となっており、端部Ｐ３は第３溝５ｃと第４溝５ｄとの連結部となっている。
【００３２】
端部（連結部）Ｐ１には、第１溝５ａ側が第２溝５ｂ側に対して高い（溝の深さが浅い）段差Ｄ１が形成されており、これによって、後述するように第２溝５ｂ側に入り込んだカム係合部が第１溝５ａ側に戻らないようになっている。また、第２溝５ｂと第３溝５ｃとの間の連結部Ｐ２、第３溝５ｃと第４溝５ｄとの間の連結部Ｐ３、第４溝５ｄと第１溝５ａとの間の連結部Ｐ４にも、第１溝５ａと第２溝５ｂとの間の連結部Ｐ１と同様に、それぞれ段差Ｄ２（Ｄ３、Ｄ４）が形成されており、これによってカム係合部７ｂの戻りが防止されている。そして、このような構成によって溝カム５は、後述するように係合バー７のカム係合部７ｂを第１溝５ａ、第２溝５ｂ、第３溝５ｃ、第４溝５ｄ、第１溝５ａの順に一方通行となるよう案内するようになっている。なお、この溝カム５を構成する第１溝５ａ、第２溝５ｂ、第３溝５ｃ、第４溝５ｄのうちの少なくとも一つには、カム係合部７ｂを案内する方向に向けてその前側が後側に比べて深さが浅くなる、上り勾配が形成されている。
【００３３】
側壁部２ｐの長手方向中間部には、図６（ａ）に示したように、第２内側規制面２ｊから平面視で第１内側規制面２ｉ側に斜め奥側に延びる傾斜受け面２ｍが形成されている。そのため、側壁部２ｐ側の第２内側規制面２ｊおよび誤挿入防止部２ｅは傾斜受け面２ｍに交差するように終端されている。
傾斜受け面２ｍの第２内側規制面２ｊに対する傾斜角度は、板状記憶媒体５０の側部突起５０ｆと面取り部５０ｂとのなす角度とほぼ同一に設けられている。傾斜受け面２ｍは、板状記憶媒体５０が挿入される際、左右方向の誤挿入を防止するために設けられている。
側壁部２ｐの手前側の中間部には、第２係止ばね１１ａ、１１ｂを取り付けるための挿脱方向に延ばされたばね取付部２ｓが設けられている。
【００３４】
次に、カバー４について説明する。
カバー４は、図１（ａ）および図２において破線で表したように、ケーシング２の上面、側壁部２ｎ、２ｐ、２ｑを覆い、差入口２ａを開放するように設けられた導電性材料からなる部材である。例えば、銅合金板やアルミ板などをプレス加工して製造することができる。カバー４は、板状記憶媒体用ホルダ１のシールドカバーを兼ねており、その一部が基板８の接地用パタンと導通するように、例えば半田付けやビス止めなどにより基板８と固定されている。カバー４の上面は、差入口２ａの近傍が板状記憶媒体４０、５０の挿脱をしやすくするためにコ字状に切り欠かれている。また、第１端子２ｃ…および第２端子２ｄ…の上方には、短絡防止のための適宜の逃げ孔が設けられている。
【００３５】
次に、スライダ６について説明する。
図７（ａ）、（ｂ）、（ｃ）、（ｄ）は、それぞれスライダ６の構成を説明するための左側面図、正面図、右側面図、下側面図である。
スライダ６は、板状記憶媒体４０、５０の挿脱に伴い、ケーシング２の支持面２Ａ上を挿脱方向にスライドされ、図７（ｂ）に示したように、長手方向の先端側部に図示の右側方に突出する第１係止部６ａ、第１押圧壁６ｂおよび誤挿入防止板６ｅを備える大略直方体状のブロック部材である。そして、長手方向中間部の右側方にばね取付孔６ｄが設けられ、ばね取付孔６ｄから右側方に山形の屈曲部を突出させ、ばね取付孔６ｄを通して挿脱方向と交差する方向に進退可能に設けられた板ばねからなる第１係止ばね１０が設けられている。
【００３６】
第１係止部６ａは、板状記憶媒体４０の曲線部４０ｂに当接するように設けられた曲線形状を備え、挿脱方向手前側の直線状の側部６Ａから挿脱方向の奥側に向けて突出するように設けられている。
第１押圧壁６ｂは、第１係止部６ａの先端から水平横方向に向けて設けられた突出壁であり、板状記憶媒体４０の先端面４０ｃと当接して、板状記憶媒体４０の挿入時の押圧力をスライダ６に伝達するものである。
誤挿入防止板６ｅは、スライド面６ｊを、第１係止部６ａの手前側開始位置から水平方向に延長した板状部であり、板状記憶媒体４０が正規の位置に挿入される際、板状記憶媒体４０の逃げ溝４０ｇ内に収まる形状とされている。
【００３７】
スライダ６には、さらに、スライド面６ｊ、ばね受け穴６ｃ、第２係止部６ｉ、第２押圧壁６ｈが設けられている。
スライド面６ｊは、スライダ６が支持面２Ａとの摺接するため底面である。スライド面６ｊの長手方向中間部には、ケーシング２のスライド溝２ｈにスライド自在に嵌合して挿脱方向に移動するためのガイド突起６ｆが設けられている。
ばね受け穴６ｃは、スライダ６の先端側側面に設けられている。ばね受け穴６ｃには、図１（ａ）に示したように、コイルばね９が一方の端部をケーシング２の側壁部２ｐに係止された状態で挿入されることにより、スライダ６に奥側から手前側への弾性力を付勢することが可能となっている。
【００３８】
スライダ６の後端側（ケーシング２の手前側）には、上下方向に貫通するバー係合孔６ｇが設けられている。バー係合孔６ｇの上端の周囲にはスライダ６の上面からＵ字状に掘り下げられた揺動スペース６ｋが設けられている。そして、図１（ｂ）に示したように、バー係合孔６ｇに、係合バー７が係合されている。
【００３９】
係合バー７は、両端部に直角に折り曲げられたスライダ係合部７ａ、カム係合部７ｂを有するコ字状に屈曲された適宜の太さの丸棒状部材である。スライダ係合部７ａは、バー係合孔６ｇに係合され、カム係合部７ｂは、溝カム５に係合される。揺動スペース６ｋは、カム係合部７ｂが溝カム５内の移動するとき、係合バー７がバー係合孔６ｇを中心にして所定角度の範囲で平面内で揺動することを可能としている。
【００４０】
第２係止部６ｉは、スライダ６の後端部のスライド面６ｊと右側面とから、それぞれ内側に段差を形成して、スライド面６ｊに平行な上面係止面６ｍと、右側面に平行な側面係止面６ｎとを備える角部を設けたものである。上面係止面６ｍは、スライダ６をケーシング２に取り付けた状態で、上面規制面２ｋと同一高さとなる位置に形成され、同じく側面係止面６ｎは、側壁部２ｎ側の第２内側規制面２ｊと整列する位置に設けられている。
第２係止部６ｉは、長手方向奥側に所定長さだけ延ばされて、挿脱方向に直交する平面として第２押圧壁６ｈが形成され、そこで終端している。
【００４１】
このような構成により、差入口２ａから板状記憶媒体５０が挿入される際、板状記憶媒体５０が上面規制面２ｋ、第２内側規制面２ｊに続いて、スライダ６内の上面係止面６ｍ、側面係止面６ｎに係止されつつ、先端面５０ｃを第２押圧壁６ｈに当接させ、板状記憶媒体５０からの押圧力を、第２押圧壁６ｈを通してスライダ６に伝達することが可能となっている。
【００４２】
次に、第２係止ばね１１ａ、１１ｂについて説明する。
第２係止ばね１１ａ、１１ｂは、図１（ａ）に示したように、平面視で山形に屈曲されて端部に適宜形状の取付部（不図示）を有する板ばねである。その取付部が、ケーシング本体２０のばね取付部２ｓに固定されることにより、第２係止ばね１１ａはばね取付部２ｓの奥側から、第３係止ばね１１ｂはばね取付部２ｓの手前側から、それぞれ山形の凸部をケーシング２の内側に向けて、挿脱方向と交差する方向に移動可能に片持ち支持されている。
【００４３】
第２係止ばね１１ａ、１１ｂの山形の先端は、水平方向には、第２内側規制面２ｊと第１内側規制面２ｉとの間に位置し、板状記憶媒体４０を挿入するときには、まったく接触せず、板状記憶媒体５０を挿入するときには、側部突起５０ｆに当接して外側への押圧力を受けるように構成されている。このため、係止凹部５０ｄの位置では、復元力が働いて、山形が係止凹部５０ｄに押し込まれるものである。第２係止ばね１１ａ、１１ｂの山形の、挿脱方向の幅は、このときの押圧力と挿脱操作の容易性を考慮して、所定の引抜力以下となるように適宜に決めることができる。
【００４４】
次に、本実施形態に係る板状記憶媒体用ホルダ１の作用について説明する。
図８（ａ）、（ｂ）は、板状記憶媒体用ホルダ１に板状記憶媒体４０を挿入完了した状態および挿入中の状態を説明するための平面説明図である。図９（ａ）、（ｂ）は、板状記憶媒体用ホルダ１に板状記憶媒体５０を挿入完了した状態および挿入中の状態を説明するための平面説明図である。図１０（ａ）、（ｂ）は、それぞれ図８、９の下側面図である。
【００４５】
板状記憶媒体用ホルダ１は、図８（ａ）、図９（ａ）、図１０に示したように、形状の異なる板状記憶媒体４０、５０を挿入することができる。
図１０に示したように、差入口２ａは、カバー４、第１内側規制面２ｉ、２ｉ、支持面２Ｃ、２Ｄで囲まれる矩形開口により、支持面２Ｃ、２Ｄを挿入の基準面としつつ、板状記憶媒体４０をガイドして挿入することができる。また、上面規制面２ｋ、２ｋ、第２内側規制面２ｊ、２ｊ、誤挿入防止部２ｅ、２ｅ、支持面２Ｃ、２Ｄで囲まれる多角形状の開口により、支持面２Ｃ、２Ｄを挿入の基準面としつつ、板状記憶媒体５０を上下方向の誤挿入を防止しながらガイドして、挿入することができる。
【００４６】
いずれも、上下左右方向の位置が規制されてガイドされつつ挿入されるので、それぞれの接続端子４０ａ、５０ａの上下左右方向の位置は、板状記憶媒体用ホルダ１に対して所定の位置に保持される。このため、板状記憶媒体用ホルダ１にあらかじめ所定位置に固定された第１端子２ｃ…、第２端子２ｄ…と確実に当接することが可能である。
【００４７】
挿脱方向の動作について説明する。まず、挿入前には、図１（ａ）に示したように、スライダ６がコイルばね９からの押圧力を受けて手前側に押し下げられており、第１係止ばね１０は、スライダ６の外部に飛び出している。
板状記憶媒体４０を、差入口２ａから挿入していくと、支持面２Ｃ、２Ｄ、第１内側規制面２ｉ、２ｉ、カバー４によって上下左右方向をガイドされながらスムーズに挿入され、やがて、第２端子２ｄ…により底面４０ｅが押し上げられながら安定して、奥側に挿入される。
【００４８】
そして、曲線部４０ｂが第１係止ばね１０に当接し、さらに挿入を続けると第１係止ばね１０がスライダ６の内部側の側方に押し出される。板状記憶媒体４０の係止凹部４０ｄが第１係止ばね１０の位置に到達すると、第１係止ばね１０の復元力により、第１係止ばね１０の山形が係止凹部４０ｄ内に押し戻され、スライダ６と板状記憶媒体４０とが互いに係止される。また、第１係止ばね１０により、板状記憶媒体４０はわずかに側壁部２ｐ側の第１内側規制面２ｉに押圧され、第１内側規制面２ｉにより確実にガイドされながら移動することになる。またこのとき、曲線部４０ｂは第１係止部６ａにほぼ当接し、先端面４０ｃは第１押圧壁６ｂに当接する。もし、板状記憶媒体４０の表裏が逆に挿入された場合は、誤挿入防止板６ｅによって、それより奥側への挿入が阻止されるので、仮に強引に押し込んだとしても、板状記憶媒体４０は、接続端子５０ａが第１端子２ｃ…に接触しない位置までしか到達することができないようになっており、誤挿入が防止されている。
【００４９】
したがって、さらに挿入を続けると第１係止部６ａ、第１押圧壁６ｂを通してスライダ６が挿脱方向に押圧され、板状記憶媒体４０は、スライダ６と一体に奥側に移動される。このとき、コイルばね９からの反力を受けるので、挿入の力を緩めれば、手前側に押し戻されるようになっている。
【００５０】
スライダ６が奥側に移動し始めると、スライダ６に係合されている係合バー７のカム係合部７ｂが溝カム５の溝内を移動し始める。スライダ６は、溝カム５によって移動範囲を規制されており、連結部Ｐ１（図５（ａ）参照）の位置に到達するとそれ以上挿入できない手応えが伝わるので、そこで挿入を止める。
【００５１】
すると、コイルばね９により板状記憶媒体４０が手前側に押し戻されるが、溝カム５内は一方向にしか移動できない構成とされているので、カム係合部７ｂが、段差Ｄ２の位置に移動して、そこで、連結部Ｐ２の位置に係止される。この状態が図８（ａ）に示されている。この位置にあるとき、接続端子４０ａは、すべて第１端子２ｃ…上にあり、第１端子２ｃ…を下方に押圧して所定の接触圧で当接している。このとき、第２端子２ｄ…は、底面４０ｅを押圧しているが、接続端子４０ａの位置とは離れているので、電気的な接続は生じていない。
【００５２】
次に、板状記憶媒体４０を取り出すには、板状記憶媒体４０の後端部を奥側に押し込む。するとスライダ６が奥側に押し込まれ、カム係合部７ｂが第３溝５ｃを移動して連結部Ｐ３に移動する。連結部Ｐ３はそこから手前側に方向を変えるため、それ以上奥側へ押し込むことができない手応えが伝わるので、そこで挿入を止めることができる。
【００５３】
すると、カム係合部７ｂが、手前側に延ばされた第４溝５ｄを移動することが可能となる。そのため、コイルばね９の復元力により、カム係合部７ｂが第４溝５ｄに沿って移動し、スライダ６が手前側にスライドし、板状記憶媒体４０が手前側に押し戻される（図８（ｂ））。
【００５４】
この状態で、スライダ６は、溝カム形成部２Ｇの段差により、移動を規制されるので、カバー４の外に出た板状記憶媒体４０の後端部をさらに手前に引抜くことにより、第１係止ばね１０がスライダ６の内側に押し込まれ、係止凹部４０ｄとの係止が外れる。このようにして、板状記憶媒体４０が板状記憶媒体用ホルダ１から引き抜かれる。
【００５５】
次に、板状記憶媒体５０の挿脱動作について説明する。
板状記憶媒体５０を、差入口２ａから挿入していくと、面取り部５０ｂが第３係止ばね１１ｂに当接し、第３係止ばね１１ｂが外側に押し出される。係止凹部５０ｄが第３係止ばね１１ｂの位置に到達すると、第３係止ばね１１ｂがその復元力により係止凹部５０ｄに押し込まれ、係止される。この位置において、先端面５０ｃが第２押圧壁６ｈに当接している。
【００５６】
そこから、コイルばね９および第３係止ばね１１ｂからの反力に抗してさらに挿入を続けると、カム係合部７ｂが第１溝５ａ内を奥側に移動し、連結部Ｐ１に到達するとともに、一方では第３係止ばね１１ｂが係止凹部５０ｄから押し出される。やがて面取り部５０ｂが奥側にある第２係止ばね１１ａに当接すると、第２係止ばね１１ａを側方に押し出し、板状記憶媒体５０は、第２係止ばね１１ａ、第３係止ばね１１ｂにより側壁部２ｎ側の第２内側規制面２ｊに押圧されてガイドされながら奥側に挿入されていく。
【００５７】
カム係合部７ｂが連結部Ｐ１に到達してからは、板状記憶媒体４０と同様に挿入を止め、カム係合部７ｂが連結部Ｐ２に戻されて、挿入が完了し、図９（ａ）に図示したような状態となる。すなわち、第２係止ばね１１ａは、係止凹部５０ｄにちょうど係止された状態となり、接続端子５０ａ（不図示）が第２端子２ｄ…（不図示）と適宜の接触圧で接触し、板状記憶媒体５０の後端が板状記憶媒体用ホルダ１の手前側端部に揃って収納された状態となる。
【００５８】
板状記憶媒体５０を引き抜く動作は、板状記憶媒体４０と同様に板状記憶媒体５０の端部を押し込んで、カム係合部７ｂを連結部Ｐ３に移動させ、コイルばね９の復元力で押し戻す。その際、第２係止ばね１１ａは係止凹部５０ｄを外れて側部突起５０ｆにより外側に押し出される。そして、スライダ６が手前側の限度まで戻ると（図９（ｂ））、ちょうど第３係止ばね１１ｂと係止凹部５０ｄとが係止された状態となるが、このときは、板状記憶媒体用ホルダ１から板状記憶媒体５０の後端部が外部に出ているので、それを把持して引き抜くことができる。このようにして、板状記憶媒体５０の挿脱が完了する。
【００５９】
以上に述べたように、本実施形態の板状記憶媒体用ホルダ１によれば、形状や電気的なインターフェイスの異なる板状記憶媒体４０、５０に対して、いずれも挿入可能な差入口２ａを備えるとともに、それらのいずれが挿入されても、それぞれの端子に対応する第１端子２ｃ…、第２端子２ｄ…の位置まで導く保持機構３を備えるので、１つの板状記憶媒体用ホルダ１で、２種類の板状記憶媒体を挿脱可能とすることができる。
【００６０】
可動機構であるスライダ６、溝カム５、係合バー７、コイルばね９は、それぞれの板状記憶媒体に共通としたので、部品点数を減らすことができるとともに、いわゆるプッシュ・プッシュ式の挿脱の操作性が共通になるという利点がある。
【００６１】
また、板状記憶媒体の端子を有する基準面を支持面として基板８上に保持したので、第１端子２ｃ…および第２端子２ｄ…の基板８に対する上下の取付方向を揃えることができ、板状記憶媒体用ホルダ１に対する第１端子２ｃ、第２端子２ｄの取付構造を簡素にすることができ、板状記憶媒体用ホルダ１の基板８への取り付けも容易となるという利点がある。
【００６２】
さらに、複数の板状記憶媒体を挿入可能にしてよりコンパクトにするためには、本実施形態のように一方の端子（第２端子２ｄ…）が一方の板状記憶媒体（板状記憶媒体４０）に接触しながら挿入されることが必要になる。本実施形態では、いずれの端子も基準面側にあるので、接触するのが基準面（底面４０ｅ）に限られる。その結果、それ以外の面には、例えば、ラベルが張られたり、デザイン上の凹凸が設けられたりしても、支障なく挿入することができるという利点がある。また、そのような端子が上下方向に分かれて配設されると、挿入時におしつけられる方向が異なり、それぞれが押し付けられる方向に別の端子が接触することになるので、端子が引っかかったり折れ曲がったりするなどの不具合が起こる恐れがあるが、本実施形態ではそのような不具合が起こらないという利点がある。
【００６３】
また、本実施形態では、カバー４や上面規制面２ｋ、２ｋと、支持面２Ａ、２Ｂ、２Ｃ、２Ｄとの間で、板状記憶媒体４０、５０を板厚方向に挟持して、それぞれの基準面をそれら支持面上に確実に位置決めをするので、第１端子２ｃ、第２端子２ｄの支持面からの突出量が少なくてもそれら端子を確実に当接させることができる。そのため、それぞれの端子の撓み量も小さくすることができ、その結果、第１端子２ｃ、第２端子２ｄの板厚方向の占有スペースが小さくなり、板厚方向をコンパクトに構成することができるという利点がある。
さらに、それぞれのばねとしての撓み量を小さくすることができるから、挿脱の繰り返しや経時のへたりを防止することができて信頼性を向上することができるという利点がある。
【００６４】
次に、本実施形態の変形例について説明する。本変形例は、板状記憶媒体用ホルダ１の板状記憶媒体５０を保持するための弾性保持部の構成と配置位置を変えることにより、板状記憶媒体５０の書込保護爪位置の検知を可能とするとともに、板状記憶媒体用ホルダ１の小型化を図るものである。
図１１（ａ）は、本変形例に係る板状記憶媒体用ホルダ２０を説明するための平面視の部分断面説明図である。図１１（ｂ）は、その右側面図である。
【００６５】
本実施形態の変形例に係る板状記憶媒体用ホルダ２０は、板状記憶媒体用ホルダ１のスライダ６に代えてスライダ２１を備える。また第３係止ばね１１ｂに代えて第１検出ばね２４（弾性保持部）、第２検出ばね２５（弾性保持部）および導通板２３を備える。これら弾性保持部などは、板状記憶媒体５０の書込み保護モードの検出スイッチ機構を構成している。
さらに、これらの変更に伴い、部品レイアウトとサイズが変更されており、ケーシング２に代えてケーシング１２を、カバー４に代えてカバー１３を、係合バー７に代えて係合バー２２を、それぞれ備える。
以下では、主な変更点を中心にして簡単に説明する。ただし、カバー１３は、新規な機能を発揮する形状の変更はないので説明は省略する。
【００６６】
ケーシング１２は、ケーシング２とほとんど同様の構成を有し、共通の部材、部位にはケーシング２と同一の符号を付している。主な変更点は以下のとおりである。
溝カム５は、側壁部２ｎ、２ｑが交差する支持面２Ａ上の角部に配置されている。そして支持面２Ａ、２Ｃの間には、導通板２３、第１検出ばね２４、第２検出ばね２５が配置可能な空間、形状が設けられている。
【００６７】
スライダ２１について説明する。
図１２は、スライダ２１の平面視の部分断面説明図である。
スライダ２１は、挿脱方向に延びるブロック状の部材で、スライダ６と同様に、挿脱方向奥側には、第１係止部６ａ、第１押圧壁６ｂ、側部６Ａ、ばね受け穴６ｃ、誤挿入防止板６ｅを備え、挿脱方向手前側の端部には、第２押圧壁６ｈを備えている。
一方、ばね取付孔６ｄ、第１係止ばね１０が削除され、第１係止ばね１０の取付位置に相当するスライダ２１の中間部に、ラッチ部２７（弾性保持部）が設けられている。
ラッチ部２７は、先端に係止凹部４０ｄ内に係止可能な凸形状を有するかんぬき状の板部材であり、側部６Ａに対して直角方向に進退自由に設けられている。そして、内蔵されたばね２７ａに弾性力が付勢され、外力を受けないときは、側部６Ａから外側に突出している。
ラッチ部２７は、第１係止ばね１０を設ける場合のようにばね取付孔６ｄのような大きな孔形状が不要となるので、スライダ２１の剛性を高めることができ、コンパクトな形状とすることができる利点がある。
【００６８】
側部６Ａと逆側の側部には、係合バー２２を保持、係合するためのバーガイド部２１ａとバー係合孔２１ｃとが設けられている。
また、第２押圧壁６ｈには、導通板２３、第１検出ばね２４、第２検出ばね２５を避けるための穴部２１ｂが設けられている。
【００６９】
係合バー２２は、図示していないが、係合バー７と同様にスライダ係合部７ａ、カム係合部７ｂを有するコ字状に屈曲された適宜の太さの丸棒状部材である。ただし、溝カム５の位置変更により各寸法が変更されている。
【００７０】
導通板２３は、電気導電性を有する奥側導通部２３ａ、手前側導通部２３ｂ、およびそれらと導通して基板８に電気的に接続可能な端子部２３ｃを備える。奥側導通部２３ａと手前側導通部２３ｂとは、挿脱方向の奥側と手前側に並列配置されている。
このような導通板２３は、どのように製作してもよいが、例えば、ステンレス鋼板やリン青銅板などの導電性の金属板を折り曲げて、ケーシング１２にビス止めや熱かしめなどの手段で固定することにより得られる。
【００７１】
第１検出ばね２４は、弾性板を屈折させて片持ち支持され、挿脱方向と直交する方向に先端部が可動に保持された電気導電性の板ばね部材である。そして、板ばねの可動先端部に、組立時に奥側導通部２３ａに対向する山形の屈曲部からなる接点部２４ａと、それと逆方向に山形に屈曲した押圧部２４ｂとを備え、固定側には、基板８と導通をとるための端子部２４ｃが設けられている。
そして、板状記憶媒体５０が挿入されたとき、側部突起５０ｆが押圧部２４ｂに当接して挿入方向の直角方向外側に撓むことにより、接点部２４ａが奥側導通部２３ａに当接し、板状記憶媒体５０が引き抜かれた場合には、弾性復元力により接点部２４ａが奥側導通部２３ａから離反する構成とされている。すなわち、押圧部２４ｂの山形頂部の位置は、図１０（ｂ）において、第２内側規制面２ｊより内側に突出しているものである。
【００７２】
第２検出ばね２５は、第１検出ばね２４と同様に接点部２５ａ、押圧部２５ｂおよび端子部２５ｃを備えている。
ただし、接点部２５ａが当接・離反するのは、上記の奥側導通部２３ａに代えて、手前側導通部２３ｂである。また、接点部２５ａの位置は、書込みモードの板状記憶媒体５０が完全に挿入されたとき、書込保護爪５０ｇに対向する位置とされている。
第１検出ばね２４、第２検出ばね２５の材質は、例えば、ステンレス鋼板やリン青銅板などを採用することができる。
【００７３】
次に、本変形例の作用を説明する。まず、板状記憶媒体５０が挿脱される場合を説明する。
図１３、１４は、本変形例の板状記憶媒体用ホルダ２０に板状記憶媒体５０を挿入したときの動作を説明する平面部分断面図である。図１５は、同じく板状記憶媒体４０を挿入したときの動作を説明する平面部分断面図である。
【００７４】
図１３（ａ）は、板状記憶媒体用ホルダ２０に、板状記憶媒体４０、５０がいずれも挿入されていない状態を示す。すなわち、係合バー２２は、第１溝５ａ（図５参照）にあり、スライダ２１が挿脱方向の手前側に位置している。
このとき、第１検出ばね２４の先端部は、穴部２１ｂに貫入している。
また、接点部２４ａ、２５ａは、それぞれ奥側導通部２３ａ、手前側導通部２３ｂと離間し、いずれも電気的な断絶状態にある。
【００７５】
図１３（ｂ）は、板状記憶媒体５０を挿入して、先端面５０ｃをちょうど第２押圧壁６ｈに当接させた状態である。
このとき、押圧部２５ｂは側部突起５０ｆに押圧され、接点部２５ａが手前側導通部２３ｂに当接し、端子部２３ｃ、２５ｃ間が導通する。
【００７６】
図１３（ｃ）は、板状記憶媒体５０をさらに挿入し、係合バー２２のカム係合部７ｂ（不図示）が連結部Ｐ２（図１０参照）に位置することにより挿入が終了した状態を示す。
図１３（ｂ）から本図の状態に至るまで、押圧部２５ｂは、側部突起５０ｆおよびそれとほぼ同一面に位置する書込保護爪５０ｇによって押圧されつづけ、手前側導通部２３ｂとの導通が続いている。
一方、先端面５０ｃは、第２押圧壁６ｈに当接することにより、スライダ２１を挿脱方向奥側に押し込んでいく。図１３（ｃ）の状態の直前では、押圧部２４ｂと側部突起５０ｆとが当接し、押圧部２４ｂは挿脱方向に直角方向に撓み、接点部２４ａと奥側導通部２３ａが当接し、端子部２３ｃ、２５ｃ間に加え、端子部２３ｃ、２４ｃ間も導通する。
なお、図示していないが、上記の挿入工程において、第２係止ばね１１ａが、係止凹部５０ｄに係止され、所定荷重以下では引抜けない状態とされるのは、上記の実施形態で説明したのと同様である。
【００７７】
次に、書込保護爪５０ｇが書込み保護モードになっている場合について説明する。
書込保護爪５０ｇが書込み保護モードの位置にあると、板状記憶媒体５０を最大限押し込んでも（図１４（ａ））、挿入が完了した状態（図１４（ｂ））でも、押圧部２５ｂが書込保護溝５０ｈの位置にきて第２検出ばね２５の撓みが戻り、手前側導通部２３ｂから離間する。そして端子部２３ｃ、２５ｃ間は導通しなくなる。
そのため、端子部２３ｃ、２４ｃ間が導通し、端子部２３ｃ、２５ｃ間が非導通となるので、この場合には書込み保護モードの板状記憶媒体５０が挿入されたことが検知される。すなわち、導通板２３、第１検出ばね２４および第２検出ばね２５は、板状記憶媒体５０が書込み保護モードか否かを検出する検出スイッチ機構を構成している。
本変形例の書込み保護モードの検出スイッチ機構は、スライダ２１と第１検出ばね２４とをオーバーラップ（貫入）させて、直列に配置するので、板状記憶媒体用ホルダ２０の奥行き方向および幅方向の寸法を短縮できるという利点がある。
【００７８】
また、板状記憶媒体４０を挿入する場合は、図１５に示したように、第１検出ばね２４、第２検出ばね２５と板状記憶媒体４０とは接触しないから、形状の異なる板状記憶媒体４０でも引っかからずに挿入される。そして、その挿脱に際して、端子部２３ｃ、２４ｃ間、端子部２３ｃ、２５ｃ間はいずれも常に非導通状態であるから、板状記憶媒体５０が挿入されたというような誤検知が起こることもない。
【００７９】
以上に説明したように、本変形例に係る板状記憶媒体用ホルダ２０は、互いに異なる形状を有する板状記憶媒体４０、５０であっても、それぞれ挿入可能な板状記憶媒体用ホルダとなっている。
【００８０】
なお、上記の実施形態および変形例の説明では、保持機構として、操作性のよいスライダと、差し込みの初期や押し戻されたときに自然に外れることがない弾性保持部とを備える例で説明したが、板状記憶媒体を保持できる機構ならば、これに限定されないことは言うまでもない。例えば、基板類の挿脱に用いられるてこ式の回転レバーを設けてそれにより挿脱と保持を行う機構などによってもよい。
【００８１】
また、上記の説明では、複数の板状記憶媒体の例として、板状記憶媒体４０、５０の例で説明したが、本発明の技術的思想の範囲において、他の種類の板状記憶媒体と組み合わせたり、３種類以上の共通化を図ったりしてもよい。
【００８２】
【発明の効果】
以上に述べたように、請求項１に記載の発明では、異なる複数種の板状記憶媒体であっても、支持面を共通にしたケーシングにより挿脱して、保持機構に保持でき、導通する端子の取付面を共通の支持面側に配置することができるから、安価に製作でき、基板への取付も容易で、しかも同一の操作性により挿脱できるという効果を奏する。
【００８３】
請求項２に記載の発明では、板状記憶媒体が支持面上に板厚方向にがたつきなく安定して保持されるから、複数種類の板状記憶媒体を挿脱可能でありながら、確実な挿着が可能で、板厚方向がコンパクトな構成とすることができるという効果を奏する。
また端子の経時的なへたりを防止することができるから、信頼性を向上することができるという効果を奏する。
【００８４】
請求項３に記載の発明では、共通化された操作性がスライダにより容易なものとなり、スライダを共通使用することにより、コンパクトに構成でき、部品点数を低減して低コスト化を図ることができるという効果を奏する。
【図面の簡単な説明】
【図１】本発明の実施形態に係る板状記憶媒体用ホルダの概略構成を説明するための平面説明図およびそのＡ−Ａ断面図である。
【図２】同じく図１におけるＢ視の側面説明図である。
【図３】同じく図１におけるＣ−ＣおよびＤ−Ｄ断面図である。
【図４】本発明の実施形態に係るケーシング本体の構成を説明するための左側面図、平面図および右側面図である。
【図５】本発明の実施形態に係る溝カムを説明するための平面視の部分拡大図およびそのＧ−Ｇ断面図である。
【図６】図４のＥ部詳細を示す部分拡大図およびそのＦ視側面図である。
【図７】本発明の実施形態に係るスライダの構成を説明するための左側面図、正面図、右側面図および下側面図である。
【図８】本発明の実施形態に係る板状記憶媒体用ホルダに板状記憶媒体を挿入完了した状態および挿入中の状態を説明するための平面説明図である。
【図９】同じく別の板状記憶媒体を挿入完了した状態および挿入中の状態を説明するための平面説明図である。
【図１０】図８、９の下側面図である。
【図１１】本発明の実施形態の変形例に係る板状記憶媒体用ホルダを説明するための平面視の部分断面説明図および右側面図である。
【図１２】同じく本変形例のスライダの平面視の部分断面説明図である。
【図１３】本発明の実施形態の変形例に係る板状記憶媒体用ホルダに書込み保護爪を有する板状記憶媒体を挿入したときの動作を説明する平面部分断面図である。
【図１４】同じく書込み保護爪を有する板状記憶媒体を挿入したときの別の動作を説明する平面部分断面図である。
【図１５】同じく別形状の板状記憶媒体を挿入したときの動作を説明する平面部分断面図である
【図１６】従来用いられている板状記憶媒体の形状の一例を説明するための裏面図、左側面図、平面図である。
【図１７】同じく板状記憶媒体の形状の別の例を説明するための裏面図、左側面図、平面図である。
【符号の説明】
１、２０  板状記憶媒体用ホルダ
２、１２  ケーシング
２ａ  差入口
２ｃ  第１端子（導通する端子）
２ｄ  第２端子（導通する端子）
２Ａ、２Ｂ、２Ｃ．２Ｄ  支持面
２ｉ  第１内側規制面
２ｊ  第２内側規制面
２ｋ  上面規制面（位置規制部）
２ｍ  傾斜受け面
２ｎ、２ｐ  側壁部（ケーシングの側部）
３  保持機構
４  カバー（位置規制部）
５  溝カム
６、２１  スライダ
７、２２  係合バー
８  基板
９  コイルばね
１０  第１係止ばね（弾性保持部）
１１ａ  第２係止ばね（弾性保持部）
１１ｂ  第３係止ばね（弾性保持部）
２３  導通板
２４  第１検出ばね（弾性保持部）
２５  第２検出ばね（弾性保持部）
２７  ラッチ部（弾性保持部）
４０、５０  板状記憶媒体
【図１】
2004158339.tif 000003
【図２】
2004158339.tif 000004
【図３】
2004158339.tif 000005
【図４】
2004158339.tif 000006
【図５】
2004158339.tif 000007
【図６】
2004158339.tif 000008
【図７】
2004158339.tif 000009
【図８】
2004158339.tif 000010
【図９】
2004158339.tif 000011
【図１０】
2004158339.tif 000012
【図１１】
2004158339.tif 000013
【図１２】
2004158339.tif 000014
【図１３】
2004158339.tif 000015
【図１４】
2004158339.tif 000016
【図１５】
2004158339.tif 000017
【図１６】
2004158339.tif 000018
【図１７】
2004158339.tif 000019